(57)【要約】【課題】  エレベーター用カゴ室内の壁部に手摺を取り付ける際に、手摺の固定位置をカゴ室内から調節することが可能な手摺を提供する。【解決手段】  手摺を取り付ける壁部の裏面側に手摺固定金具６を配置し、カゴ室内側となる壁部の表面側に手摺パイプ３ａを取り付けた手摺ブラケット３ｂを固定する。手摺固定金具６の位置を調節するために、壁部に貫通長孔（２ａ、２ｂ）を設けておき、その長孔に固定ネジ７を挿入して仮止めした状態とし、カゴ室内から操作して長孔の長手方向に手摺固定金具６をスライド移動させることで手摺固定金具６の固定位置を調整し、同時に手摺固定金具６の配置によって決まる手摺ブラケット３ｂの固定位置を調整する。【選択図】図７
2005155190.tif 000002
【特許請求の範囲】
【請求項１】
壁部表面側に固定される手摺ブラケット、上記手摺ブラケットに支持される手摺パイプ、上記手摺ブラケットが配置される位置の上記壁部裏面側に配置され、上記壁部との締結を図るための第一のネジキリ部と、上記手摺ブラケットを固定するための第二のネジキリ部を有する手摺固定金具を備え、上記手摺固定金具は、上記壁部に対し、上記第一、第二のネジキリ部が当てがわれる部分に設けられ、上記手摺パイプが伸びる方向に長い第一、第二の貫通長孔のうち、上記第一の貫通長孔に第一の固定ネジを上記壁部表面側から挿入して固定され、かつ、上記第一の固定ネジを緩めた状態で、上記第一の貫通長孔の長手方向にスライド移動可能であり、上記手摺ブラケットは、上記壁部と接する面に上記第一の固定ネジの頭を回避する凹部を有するとともに、上記第二のネジキリ部に対応する位置にネジ孔を有し、上記壁部表面側から上記ネジ孔および上記第二の貫通長孔を介して上記第二のネジキリ部に第二の固定ネジを挿入して上記壁部に固定されることを特徴とする手摺。
【請求項２】
上記手摺ブラケットは、上記手摺パイプの両端に配置されることを特徴とする請求項１記載の手摺。
【請求項３】
上記第一、第二のネジキリ部は、それぞれ複数箇所に設けられることを特徴とする請求項１記載の手摺。
【請求項４】
請求項１記載の手摺をエレベーター用カゴ室内に取り付けて用いることを特徴とする手摺。
【請求項５】
壁部との締結を図るための第一のネジキリ部と、手摺パイプを支持する手摺ブラケットを固定するための第二のネジキリ部を有する手摺固定金具を、上記壁部裏面側に配置する工程、上記手摺パイプの両端に上記手摺ブラケットを固定する工程、上記壁部に対し、上記第一、第二のネジキリ部が当てがわれる部分に設けられ、上記手摺パイプが伸びる方向に長い第一、第二の貫通長孔のうち、上記第一の貫通長孔に第一の固定ネジを上記壁部表面側から挿入して上記手摺固定金具を固定する工程、上記壁部と接する面に上記第一の固定ネジの頭を回避する凹部を有するとともに、上記第二のネジキリ部に対応する位置にネジ孔を有する上記手摺ブラケットの固定位置を、上記第一の固定ネジを緩めた状態で、上記第一の貫通長孔の長手方向に上記手摺固定金具をスライド移動させることで調節する工程、上記壁部表面側から上記ネジ孔および上記第二の貫通長孔を介して上記第二のネジキリ部に第二の固定ネジを挿入し、上記壁部に上記手摺ブラケットを固定する工程を含む手摺の固定方法。
【発明の詳細な説明】
【技術分野】
【０００１】
この発明は、壁部の表面に取り付けられる手摺およびその固定方法に関するものである。
【背景技術】
【０００２】
従来の手摺は、手摺本体を壁面に取り付ける際に、取付ネジおよびそれに嵌合する取付具を用いていた。取付具を壁面に仮止めした状態で、その取付具が移動可能なように構成し、各部寸法誤差を組立時に吸収するように構成した例が示されている（例えば、特許文献１参照。）。
【０００３】
【特許文献１】特開平９−６７９１７号公報
【発明の開示】
【発明が解決しようとする課題】
【０００４】
例えば、エレベータのカゴ室内に手摺を取り付ける場合、手摺パイプの両端部には取付のための固定金具を配置して用いるが、その固定金具に開口される取付孔の壁部側のピッチと手摺側のピッチの製作誤差を吸収する機構を必要としている。特に、手摺パイプが伸びる方向にピッチの製作誤差が生じる場合が多く、製作誤差が大きい場合には、カゴ室壁に手摺を取り付けられない場合がある。
【０００５】
この発明は、上記のような問題点を解消するためになされたもので、カゴ室内側より取付孔の壁部側ピッチの調節が可能で、製作誤差に影響される取り付けることが可能な手摺の構造を提供するとともに、その固定方法を提供することを目的とする。
【課題を解決するための手段】
【０００６】
この発明に係わる手摺は、壁部表面側に固定される手摺ブラケット、上記手摺ブラケットに支持される手摺パイプ、上記手摺ブラケットが配置される位置の上記壁部裏面側に配置され、上記壁部との締結を図るための第一のネジキリ部と、上記手摺ブラケットを固定するための第二のネジキリ部を有する手摺固定金具を備え、上記手摺固定金具は、上記壁部に対し、上記第一、第二のネジキリ部が当てがわれる部分に設けられ、上記手摺パイプが伸びる方向に長い第一、第二の貫通長孔のうち、上記第一の貫通長孔に第一の固定ネジを上記壁部表面側から挿入して固定され、かつ、上記第一の固定ネジを緩めた状態で、上記第一の貫通長孔の長手方向にスライド移動可能であり、上記手摺ブラケットは、上記壁部と接する面に上記第一の固定ネジの頭を回避する凹部を有するとともに、上記第二のネジキリ部に対応する位置にネジ孔を有し、上記壁部表面側から上記ネジ孔および上記第二の貫通長孔を介して上記第二のネジキリ部に第二の固定ネジを挿入して上記壁部に固定されるものである。
【０００７】
また、この発明に係わる手摺は、上記のような構成において、上記手摺ブラケットは、上記手摺パイプの両端に配置されるものである。
【０００８】
さらに、この発明に係わる手摺は、上記のような構成において、上記第一、第二のネジキリ部は、それぞれ複数箇所に設けられるものである。
【０００９】
また、この発明に係わる手摺は、エレベーター用カゴ室内に取り付けて用いるものである。
【００１０】
さらに、この発明に係わる手摺の固定方法は、壁部との締結を図るための第一のネジキリ部と、手摺パイプを支持する手摺ブラケットを固定するための第二のネジキリ部を有する手摺固定金具を、上記壁部裏面側に配置する工程、上記手摺パイプの両端に上記手摺ブラケットを固定する工程、上記壁部に対し、上記第一、第二のネジキリ部が当てがわれる部分に設けられ、上記手摺パイプが伸びる方向に長い第一、第二の貫通長孔のうち、上記第一の貫通長孔に第一の固定ネジを上記壁部表面側から挿入して上記手摺固定金具を固定する工程、上記壁部と接する面に上記第一の固定ネジの頭を回避する凹部を有するとともに、上記第二のネジキリ部に対応する位置にネジ孔を有する上記手摺ブラケットの固定位置を、上記第一の固定ネジを緩めた状態で、上記第一の貫通長孔の長手方向に上記手摺固定金具をスライド移動させることで調節する工程、上記壁部表面側から上記ネジ孔および上記第二の貫通長孔を介して上記第二のネジキリ部に第二の固定ネジを挿入し、上記壁部に上記手摺ブラケットを固定する工程を含むものである。
【発明の効果】
【００１１】
この発明の手摺によれば、手摺固定金具を壁部に仮止めした状態で、壁部表面側から第一の貫通長孔の長手方向にスライド移動させることができ、手摺固定金具に設けられた第一、第二のネジキリ部の位置を調節可能であり、手摺パイプおよび手摺ブラケット側の製作誤差を吸収して、壁部表面側から手摺を取り付けることが可能となる。
【００１２】
また、この発明の手摺によれば、手摺パイプの両端に手摺ブラケットを配置するように構成したため、少なくとも1本の手摺パイプにつき手摺ブラケットが配置される２ヶ所において手摺固定金具の位置を調節することが可能となり、1ヶ所のみで誤差吸収をする場合と比較して、取付裕度が増大する。
【００１３】
さらに、この発明の手摺によれば、第一、第二のネジキリ部をそれぞれ複数箇所に設けるようにしたため、第一のネジキリ部を1ヶ所しか設けなかった場合では手摺固定金具を第一の固定ネジによって壁部に固定する際に、第一の固定ネジを中心に回転したりして位置が不安定になるが、複数箇所で固定するために、手摺固定金具を安定した状態で壁部に固定できる。さらに第二のネジキリ部を複数箇所に設けることで、手摺ブラケットを固定する際に、複数箇所で第二の固定ネジによる固定ができ、荷重がかかる手摺ブラケットを安定して壁部に取り付けることができる。
【００１４】
また、この発明の手摺によれば、上記のような手摺をエレベーター用カゴ室内に取り付けて用いる際に、カゴ室内からの手摺固定金具の位置調整が可能であり、手摺を構成する各部の製作誤差に影響されず、手摺を取り付けることが可能である。
【００１５】
さらに、この発明の手摺の固定方法によれば、手摺取付金具の位置を壁部表面側から調整でき、手摺を構成する各部の製作誤差に影響されず、手摺を壁部に取り付けることが可能となる。
【発明を実施するための最良の形態】
【００１６】
実施の形態１．
図１〜図９を用いて、この発明の実施の形態１による手摺の取付状態および構成部品、固定方法について説明する。
図１はこの発明の手摺３が取り付けられたエレベーター用カゴ室１の平面図であり、手摺３は、エレベーター用カゴ室１の出入口（カゴ室出入口）１ａを入って左右の壁部（カゴ室壁部）２に、それぞれ手摺パイプ３ａが水平となるように取り付けられている。手摺３は、手摺本体部である手摺パイプ３ａと、その手摺パイプ３ａの両端に固定され、手摺パイプ３ａを支持する状態でカゴ室壁部２表面側に取り付けられる手摺ブラケット３ｂと、カゴ室壁部２裏面側の手摺ブラケット３ｂの固定位置に配置される手摺固定金具６とによって主に構成されている。
【００１７】
次に、図１のＡ領域の拡大平面図を図２に示す。図２に示すように、手摺３の取り付けには、固定ネジ５、７が用いられ、手摺固定金具６は、壁部２表面側、すなわちエレベーターカゴ室１内側から挿入される固定ネジ（第一の固定ネジ）７によって壁部２に取り付けられ、手摺ブラケット３ｂは、固定ネジ（第二の固定ネジ）５によって、カゴ室１内側から壁部２を介して手摺固定金具６に締結され、壁部２側に固定されている。
【００１８】
図３に、図１のIII−III断面図を示す。手摺ブラケット３ｂにおいて、壁部２表面側に接する面部には、カゴ室１内から固定ネジ５を挿入するネジ孔５ａが２ヶ所設けられている。また、手摺パイプ３ａは、手摺ブラケット３ｂに嵌め込まれた状態で、下面側から固定ネジ４によって固定されている。
【００１９】
図４は、図１の矢視Ｂによる正面図を示している。図５は、図４のV−V断面図であり、図５に示すように、固定ネジ７の壁部２表面側に突き出した頭を回避するように、手摺ブラケット３ｂの壁部２表面側に接する面部には、凹部３ｃが設けられている。また、固定ネジ７は、壁部２に開口された壁部貫通長孔（第一の貫通長孔、貫通長孔に相当する。）２ａを介し、壁部２表面側から手摺固定金具６のネジキリ部（第一のネジキリ部）７ｂに嵌合し、手摺固定金具６を壁部２側に固定している。固定ネジ７によって、１ヶ所のみが壁部２に固定される場合では、手摺固定金具６の位置が不安定となるが、例示したように、固定ネジ７を複数個用いて固定するように構成したため、仮止めの状態でも手摺固定金具６の位置は安定する。
【００２０】
図６は、図４のVI−VI断面図であり、図６に示すように、手摺ブラケット３ｂを壁部２側に固定する固定ネジ５は、壁部２に開口された壁部貫通長孔（第二の貫通長孔、貫通長孔に相当する。）２ｂを介し、手摺固定金具６のネジキリ部（第二のネジキリ部）５ｂに嵌合している。
【００２１】
図７に、固定ネジ５、７と、壁部２に開口された壁部貫通長孔２ａ、２ｂとの位置関係を示す正面図（図１の矢視Ｂに相当する正面図。）を示す。図７に示すように、壁部貫通長孔２ａ、２ｂは、配置される手摺パイプ３ａの伸びる方向（手摺パイプ３ａが水平に配置される場合では水平方向。）が長手方向となるような長孔に形成されており、固定ネジ５、７の頭が突き抜けないような幅に形成されている。
また、図８に、手摺固定金具６の正面図を示す。図８に示すように、手摺固定金具６には、壁部２裏面側と接する面部に、ネジキリ部５ｂ、７ｂが設けられている。
【００２２】
次に、上記のように構成される手摺３の固定方法について説明する。手摺３をエレベーター用カゴ室１内に取り付ける際には、図９に手摺の配置図を示すように、1本の手摺パイプ３ａの両端部に位置するように、２個の手摺固定金具６を壁部２裏面側に配置する必要があり、二つの手摺固定金具６の中心間距離に相当する壁部側取付ピッチＬａと、手摺パイプ３ａの両端に手摺ブラケット３ｂを固定した状態での、二つの手摺ブラケット３ｂの壁部取付面部における中心間距離に相当する手摺側取付ピッチＬｂとを同じ寸法に調整する必要がある。
【００２３】
あらかじめ、壁部２に対し、手摺ブラケット３ｂが配置される位置には壁部貫通長孔２ａ、２ｂが開口されている。手摺固定金具６を壁部２裏面側からあてがい、壁部２表面側、つまりエレベーター用カゴ室１内から固定ネジ７を挿入し、壁部貫通長孔２ａを介して手摺固定金具６のネジキリ部７ｂに嵌合させて、手摺固定金具６を壁部２側に固定する。この時、壁部貫通長孔２ａの長手方向の寸法範囲内で、手摺固定金具６の位置を左右にスライド移動させることが可能なように、固定ネジ７を少し緩めておく。
【００２４】
次に、手摺パイプ３ａの両端にそれぞれ手摺ブラケット３ｂを嵌め込み、固定ネジ４によって固定する。この時、手摺側取付ピッチＬｂが決まる。
カゴ室１内側から操作して手摺固定金具６の左右の固定位置を調節することで、手摺ブラケット３ｂの固定位置を調節し、壁部側取付ピッチＬａを手摺側取付ピッチＬｂに合致させ、製作誤差を吸収する。この状態で緩めておいた固定ネジ７を適宜締め付け、手摺固定金具６の位置を固定する。
手摺パイプ３ａが繋げられた手摺ブラケット３ｂを、壁部２表面にあてがって、カゴ室１内側から固定ネジ５によって壁部２に固定することで、手摺３の据付が完了する。
【００２５】
上述したように、手摺固定金具６は１本の手摺パイプ３ａの固定につき、２個用いられるが、各部の製作誤差が小さい場合には、一方の手摺固定金具６について位置調節を行えば誤差吸収することも可能である。
以上、手摺３をエレベーター用カゴ室１内に据え付ける場合について述べたが、同様の手摺３をエレベーター以外の壁面に取り付けて用いることも可能であることは言うまでもない。また、手摺パイプ３ａを水平方向に配置する場合について説明したが、必要に応じて斜め方向に配置すること、垂直方向に配置することも可能であり、その場合には、壁部貫通長孔２ａ、２ｂを手摺パイプ３ａが伸びる方向に沿って長い長孔となるように開口することで対応することができる。
【図面の簡単な説明】
【００２６】
【図１】この発明の実施の形態１による手摺を取り付けたエレベーター用カゴ室内を示す平面図である。
【図２】図１のＡ領域における拡大平面図である。
【図３】図１のIII−III断面図である。
【図４】図１の矢視Ｂによる正面図である。
【図５】図４のV−V断面図である。
【図６】図４のVI−VI断面図である。
【図７】この発明による手摺の、固定ネジと壁部貫通長孔との位置関係を示す正面図である。
【図８】この発明による手摺を構成する手摺固定金具の正面図である。
【図９】この発明による手摺の取付ピッチを示す配置図である。
【符号の説明】
【００２７】
１  エレベーター用カゴ室              １ａ  カゴ室出入口
２  カゴ室壁部                        ２ａ、２ｂ  壁部貫通長孔
３  手摺                              ３ａ  手摺パイプ
３ｂ  手摺ブラケット                  ３ｃ  凹部
４、５、７  固定ネジ                  ５ａ  ネジ孔
５ｂ、７ｂ  ネジキリ部                ６  手摺固定金具。
【図１】
2005155190.tif 000003
【図２】
2005155190.tif 000004
【図３】
2005155190.tif 000005
【図４】
2005155190.tif 000006
【図５】
2005155190.tif 000007
【図６】
2005155190.tif 000008
【図７】
2005155190.tif 000009
【図８】
2005155190.tif 000010
【図９】
2005155190.tif 000011